(57)【要約】  情報サービスから受け取った電話番号を携帯電話の中に保存する方法。ユーザは、情報サービスに電話をかける（１０５）。返されてきた要望する電話番号は携帯電話によって検出され（１１０）、携帯電話の中に保存することができる（１３０）。一実施形態では、要望した電話番号は、音声によって携帯電話に返され、さらに音声による応答を要望した電話番号から構成される一連の番号に構文解析する音声確認アルゴリズムを用いて検出される。次に、携帯電話は、返されてきた電話番号を永続的に保存する（１３０）か、さらにどこに保存（１３５）したらよいかをユーザに指示を促すことができる。別の特徴は、情報サービスから得たばかりの電話番号に携帯電話が自動的に電話をかける（１２０）ことをユーザが望んでいるか否かの指示をユーザーに促す。さらに、フラグをたてると、ユーザに指示を促すことなしに要望の電話番号を自動的に保存し（１２５）、さらにこの番号に電話をかける（１６０）ことができる。
2007534270.tif 000002
【特許請求の範囲】
【請求項１】
情報サービスから受け取った電話番号を携帯電話の中に保存する方法であって、
要望する電話番号を得るために情報サービスに呼を発行するステップ（１０５）と、
前記情報サービスから返されてきた前記要望する電話番号を検出するステップ（１１０）と、
前記情報サービスから返されてきた前記要望する電話番号を前記携帯電話の中に保存するステップ（１１５）とを備える方法。
【請求項２】
請求項１記載の方法において、前記要望する電話番号は前記情報サービスから前記携帯電話に音声で返される（２２５）方法。
【請求項３】
請求項２記載の方法において、前記情報サービスから返されてきた要望する電話番号を検出するステップ（１１０）は、前記情報サービスから返されてきた音声による応答を前記要望する電話番号を含んだ一連の番号に構文解析する音声認識アルゴリズムを用いるステップを含む方法。
【請求項４】
請求項３記載の方法において、前記情報サービスから返されてきた要望する電話番号を前記携帯電話の中に保存するステップ（１１５）は、前記返されてきた電話番号を保存するか否かを前記携帯電話からユーザに指示を促すステップ１３０を含む方法。
【請求項５】
請求項３記載の方法において、前記情報サービスから返されてきた要望の電話番号を前記携帯電話の中に保存するステップは、さらに前記返されてきた電話番号をどこに保存する（１３５）かを、携帯電話からユーザに指示を促すステップを含む方法。
【請求項６】
請求項５記載の方法において、前記返されてきた電話番号は前記携帯電話の電話帳の中に保存される方法。
【請求項７】
請求項５記載の方法において、前記返されてきた電話番号は前記携帯電話に取り付け可能なＳＩＭカード上に保存される（１４５）方法。
【請求項８】
請求項３記載の方法であって、さらに前記返されてきた電話番号に自動的に電話をかけるか否かをユーザに指示を促すステップ（１６０）を含む方法。
【請求項９】
請求項３記載の方法において、前記情報サービスから返されてきた要望する電話番号を携帯電話の中に保存するステップ（１１５）は、前記返されてきた電話番号を前記携帯電話の電話帳の中に（１４０）、前記携帯電話から自動的に保存させるステップ（１２５）を含む方法。
【請求項１０】
請求項３記載の方法において、前記情報サービスから返されてきた要望する電話番号を携帯電話の中に保存するステップ（１１５）は、前記返されてきた電話番号を前記携帯電話に取り付け可能なＳＩＭカード上（１４５）に、前記携帯電話から自動的に保存させる（１２５）方法。
【請求項１１】
情報サービスから受け取った電話番号を携帯電話の中に保存する方法であって、
要望する電話番号を得るために情報サービスに呼を発行するステップ（１０５）と、
前記要望する電話番号をＳＭＳテキスト・メッセージで前記携帯電話に送る（２２５）ように要求するステップ（２３０）と、
前記要望する電話番号を含んだＳＭＳテキスト・メッセージを受け取るステップ（２４０）とを含む方法。
【請求項１２】
請求項１１記載の方法であって、さらに
ＳＭＳテキスト・メッセージを開くステップと、
前記ＳＭＳテキスト・メッセージに含まれた電話番号に自動的に電話をかけるか否かを前記携帯電話から携帯電話ユーザに指示を促すステップ（１２０）とを含む方法。
【請求項１３】
請求項１１記載の方法であって、さらに
前記ＳＭＳテキスト・メッセージを開くステップと、
前記ＳＭＳテキスト・メッセージに含まれた電話番号を保存するか否か（１３５）を携帯電話から前記携帯電話ユーザに指示を促すステップとを含む方法。
【請求項１４】
請求項１３記載の方法であって、さらに前記ＳＭＳテキスト・メッセージに含まれた電話番号をどこに保存するかを、前記携帯電話から前記ユーザに指示を促すステップを含む方法。
【請求項１５】
請求項１４記載の方法において、前記ＳＭＳテキスト・メッセージに含まれた電話番号は、前記携帯電話の電話帳の中に保存することができる（１４０）方法。
【請求項１６】
情報サービスから受け取った電話番号を携帯電話の中に保存する方法であって、
要望する電話番号を得るために情報サービスに呼を発行するステップ（２０５）と、
前記携帯電話を前記要望する電話番号に、前記情報サービスから自動的に接続させるステップ（３３０）と、
前記情報サービスが前記携帯電話に接続した要望する電話番号を検出するステップ（３４０）と、
前記情報サービスが前記携帯電話に接続した電話番号であって、検出された要望電話番号を保存するステップ（３４５）とを含む方法。
【請求項１７】
請求項１６記載の方法において、前記情報サービスが前記携帯電話に接続した前記要望する電話番号を検出するステップ（３４０）は、ネットワークによる問い合わせと回答を介して情報を取得するステップを含む方法。
【請求項１８】
請求項１７記載の方法において、前記情報サービスから返されてきた前記要望する電話番号を携帯電話の中に保存するステップは、前記返されてきた電話番号を保存するか否か、携帯電話からユーザに指示を促すステップ（３４５）を含む方法。
【請求項１９】
請求項１８記載の方法において、前記前記情報サービスから返されてきた要望する電話番号を携帯電話の中に保存するステップは、さらに前記返されてきた電話番号をどこに保存するかを携帯電話からユーザに指示を促すステップ（１３５）を含む方法。
【請求項２０】
請求項１９記載の方法において、前記返されてきた電話番号は前記携帯電話の電話帳の中に保存される（１４０）方法。
【請求項２１】
請求項１９記載の方法において、前記返されてきた電話番号は、前記携帯電話に取り付け可能なＳＩＭカード上に保存される（１４５）方法。
【発明の詳細な説明】
【技術分野】
【０００１】
（背景技術）
携帯電話のユーザは、自分が知らない電話番号を得るために「４１１」のような情報サービス（ＩＳ）に電話をかける必要性を感ずることが少なくない。携帯電話は、通常、ユーザが「移動」中に用いられるので、ユーザは要望する番号を書き留めるためにすぐに使用できる紙やペンを持っていないのが一般的である。たとえ要望する番号を書きとめたとしても、それを紛失する、または忘れてしまうおそれもある。現行の産業的解決は、要望する番号が取り出されると、ユーザにかわって、要望する番号にＩＳから電話をかけてもらうことである。基本的には、ＩＳはユーザの電話を要望する番号に転送するので、ユーザは番号を書き留めたり、記憶したりしなくともよい。
【発明の開示】
【発明が解決しようとする課題】
【０００２】
この解決の難点は、要望する番号が保持されないことである。人によっては、その番号に複数回電話を架ける必要があり、その都度、ともするとＩＳに電話を架けなければならないことがある。これは費用が嵩む。殆どのサービスが電話番号検索の手数料を課金するからである。要望する番号が得られた後に直接接続してもらうと手数料が追加される場合もある。その上、そもそも、それはその番号に直接電話をかけるに比べると時間がかかる。
【０００３】
必要とされているものは、ＩＳから一旦受け取った要望する番号を携帯電話の中に保持する手段である。保持されれば、ユーザは同じ番号を得るためにＩＳに電話をかけ直さなくてもすむ。
【課題を解決するための手段】
【０００４】
本発明は、情報サービスから受け取った電話番号を携帯電話の中に保存する方法を説明する。ユーザは、要望する電話番号を得るために情報サービスに電話をかける。携帯電話は、情報サービスから返されてきた要望する電話番号を検出し、さらに携帯電話の中に保存することができる。一実施形態では、要望する電話番号は情報サービスから携帯電話に音声で返され、音声確認アルゴリズムを用いて検出される。音声確認アルゴリズムは、情報サービスから返されてきた音声による応答を、要望する電話番号から構成される一連の番号に構文解析する。次に、携帯電話は、返されてきた電話番号を永続的に保存するか、そしてどこに保存したらよいかについてユーザに指示を促すことができる。別の特徴は、情報サービスから入手したばかりの電話番号に携帯電話が自動的に架電することをユーザは望んでいるかをユーザに指示を促すことである。また、フラグをたてることにより、ユーザに指示を促すことなく電話番号を自動的に保存したり、この電話番号に電話をかけることができる。
【０００５】
別の実施形態は、テキスト・メッセージを情報サービスから携帯電話に送ってもらうことである。テキスト・メッセージには、電話番号が含まれる。携帯電話は、テキスト・メッセージを受け取ると、その電話番号を開き、読み取り、この電話番号に電話をかけ、さらに／またはこの電話番号を永続的に保存することができる。
【０００６】
本発明は、情報サービス（ＩＳ）が何時呼び出されたかを認識する電話器内のソフトウエアによって実現することができる。ソフトウエアによって実現するには、現行の携帯電話の簡単な装置改良を考慮に入れておく。多くの携帯電話は、ユーザには何の不便をかけることもなく本発明を構成するソフトウエアにより無線（ｏｖｅｒ−ｔｈｅ−ａｉｒ）（ＯＴＡ）規定される。
【０００７】
図１は、本発明の一実施形態の論理の流れを詳細に示すフローチャートである。この実施形態では、携帯電話は要望する電話番号を音声で受け取り、記憶装置の中にコピーすることができる。
【０００８】
プロセスにおける最初のステップは、ユーザが「４１１」のような情報サービスに架電することである（１０５）。情報サービスは要望する番号を取り出し、音声で折り返す。次に、携帯電話はこの番号を「聞き取り」（１１０）、携帯電話の中の一時的記憶域の中に記録する（１１５）。この「聞き取り」機能は、音声ダイアル方式において用いられるアルゴリズムのような、現行の音声認識アルゴリズム、ＤＴＭＦトーンの認識、またはその他の手段を含むことができる。この点において、携帯電話は情報サービスとは異なり、要望する番号に自動接続するか否かをユーザに確認する（１２０）ことができる。
【０００９】
自動接続が選択されると、携帯電話は要望する番号に自動的に電話をかける（１６０）。電話がつながったかチェックされる（１６５）。電話がつながったとチェックされると、通話は通常に行われ、終了すると携帯電話は、自動保存フラグがたてられているかをチェックする（１２５）。電話がつながらない場合、携帯電話は自動保存フラグがたてられているかをチェックする（１２５）。自動保存フラグは、要望する番号を自動的に保存するか否かを判定する。
【００１０】
フラグがたてられていなければ、要望する番号を記憶装置の中に永続的に保存するかについて、ユーザは指示を求められる（１３０）。ユーザがこの番号を保存しないことを決定すると、プロセスは終了する。ユーザがその番号の永続的保存を決定すると、ユーザはその番号をどこに保存するかについて指示を求められる（１３５）。ユーザの選択には、この番号の携帯電話内の保存（１４０）、ＳＩＭカード上の保存（１４５）、またはその両方に保存（１５０）が含まれる。この番号が保存されると、プロセスは終了する。
【００１１】
図２は、本発明の別の実施形態の論理の流れを詳細に示すフローチャートである。この実施形態では、携帯電話は、ＩＳが要望の電話番号をＳＭＳテキスト・メッセージを介して携帯電話に送るように要求することができる。前述と全く同様、プロセスはユーザが情報サービスに接続すること（２０５）からはじまる。電話がつながる（２１０）と、ユーザは情報サービスに番号を要求する（２１５）。情報サービスは要望された番号を取り出し（２２０）、配信方法についてユーザに指示を求める（２２５）。配信方法には、要望された番号を携帯電話へ音声により配信する方法、またはＳＭＳテキスト・メッセージングより配信する方法がある。ユーザが配信方法を選択する（２３０）と、情報サービスは、要望された番号をユーザが選択した方法によって送信する（２３５）。次に、ユーザの携帯電話は要望した電話番号を受け取る（２４０）。
【００１２】
ユーザが音声配信を選択した場合、図１に記述したプロセスが適用される。ユーザがＳＭＳテキスト配信を選択した場合、情報サービスは、要望番号を含んだＳＭＳテキスト・メッセージを作成且つ送信する。テキスト・メッセージが受領され、開かれると、ユーザは要望した番号に電話することができる。呼が終了すると、携帯電話は、その番号を固定記憶装置に保存するかをユーザに指示を促すことができる。
【００１３】
図３は、本発明の更に別の実施形態の論理の流れを詳細に示すフローチャートである。この実施形態では、ＩＳが携帯電話を要望の番号に自動的に接続し、さらに同時にその番号を検出するように、携帯電話は要求することができる。前述と全く同様、プロセスは、ユーザが情報サービスに接続すること（２０５）からはじまる。電話がつながる（２１０）と、ユーザは情報サービスに番号を要求する（２１５）。情報サービスは要望の番号を取り出す（２２０）。この時点で、ＩＳは、要望番号に自動的に接続するかどうかを携帯電話に指示を促す（３２５）。携帯電話のユーザがこの選択肢を選択した場合（３３０）、ＩＳは携帯電話の要望番号への接続に取り掛かる（３３５）。一方、携帯電話内のソフトウエアは、ネットワーク機能を介して情報を要求且つ受領することによって、接続中の番号を判定する（３４０）。通話終了時に、携帯電話は、ユーザは要望の電話番号を記憶装置に永続的に保存することを望むかをユーザに指示を促す（３４５）。
【００１４】
本発明のＩＳの特徴は、一般的に、所定の情報サービス番号表によって始動させられる。４‐１‐１のようなこれらの番号のひとつに電話をかけると、番号を検出および保存する電話アルゴリズムが起動する。また、このＩＳの特徴は情報サービス業者と携帯電話製造業者との間の連携により開発されることも可能である。ユーザは情報サービスに電話をかけ、サービスから電話器に番号を直接送ってもらうことをユーザが選択する新たなオプションも可能である。この直接保存オプションは、最近の直接接続オプションと同じように、プレミアム（有料）サービスとし、情報サービスの収入源とすることができる。
【００１５】
本発明のコンピュータ・プログラム要素は、ハードウエアおよび／またはソフトウエア（ファームウエア、常駐ソフトウエア、マイクロ・コード等を含む）において具現化することができる。本発明は、コンピュータ使用可能、またはコンピュータ読み取り可能なプログラム命令を有するコンピュータ使用可能、またはコンピュータ読み取り可能な記憶媒体によって具現化することのできるコンピュータ・プログラム製品、または命令実行システムによって、またはこれに関連して用いられる媒体において具現化される「コード」、すなわち「コンピュータ・プログラム」の形態をとることができる。本稿の文脈において、コンピュータ使用可能、またはコンピュータ読み取り可能な媒体は、命令実行システム、装置、または機器によってまたはこれらに関連して用いられるプログラムを含む、保存する、伝える、広める、または搬送することができるあらゆる媒体とすることができる。コンピュータ使用可能、またはコンピュータ読み取り可能な媒体は、電子、磁気、ひかり、電磁、赤外線、または半導体のシステム、装置、機器または例えば、インターネットのような伝播媒体とすることができる。但し、これらに限定するものではない。さらに、コンピュータ使用可能、またはコンピュータ読み取り可能な記憶媒体は、プログラムを印刷できる紙またはその他の適切な媒体とすることができることに留意されたい。プログラムは、例えば、紙またはその他の媒体の光走査によって電子的に取り込み、次に、コンパイル、解明し、またはその他の方法で適切に処理することができるからである。本稿で説明したコンピュータ・プログラム製品およびあらゆるソフトウエアならびにハードウエアは、例示の実施形態において本発明の機能を実行する様々の手段を形成する。
【００１６】
本稿では、発明の特定の実施形態を説明した。本発明は、別の環境では別の用途があり得ることを当業者は直ちに認めるであろう。実際、多数の実施形態およびインプリメンテーションが可能である。以下の特許請求の範囲は、本発明の範囲を上述の特定の実施形態に限定することを意図したものでは決してない。さらに、「〜の手段（ｍｅａｎｓ  ｆｏｒ）」の詳述（ｒｅｃｉｔａｔｉｏｎ）はいずれも、要素および特許請求の範囲が、手段+機能（ｍｅａｎｓ−ｐｌｕｓ−ｆｕｎｃｔｉｏｎ）として理解されるように表現することを意図しているのに対して、「〜の手段」の詳述を特に用いていない要素はいずれも、特許請求の範囲に「手段」の語が別の形で含まれていたとしても、手段+機能の要素として理解されることを意図していない。
【図面の簡単な説明】
【００１７】
【図１】図１は、本発明を実行する一実施形態を詳細に示すフローチャートである。
【図２】図２は、本発明を実行する別の実施形態を詳細に示すフローチャートである。
【図３】図３は、本発明のさらに別の実施形態の論理の流れを詳細に示すフローチャートである。
【図１】
2007534270.tif 000003
【図２】
2007534270.tif 000004
【図３】
2007534270.tif 000005
【国際調査報告】
2007534270.tif 000006
2007534270.tif 000007
2007534270.tif 000008
2007534270.tif 000009
2007534270.tif 000010